(57)【特許請求の範囲】
【請求項１】
操作者からの入力操作を受け付ける操作部と、
基地局との間で無線信号を送受信する無線部と、
ＧＰＳ衛星から衛星軌道情報と位置測定用の時刻情報とを受信するＧＰＳ受信部と、
各種情報を記憶する記憶部と、
前記操作部、前記無線部、前記ＧＰＳ受信部、前記記憶部を制御する制御部とを備える無線通信装置であって、
前記制御部は、
前記操作部が、操作者からの定点モードの設定指示を受け付けた場合は、当該無線通信装置を定点モードとし、前記定点モード以外の場合は、当該無線通信装置を非定点モードとし、
前記非定点モードにおいて、
前記操作部が、操作者からの電子メール作成開始指示と、当該無線通信装置の位置情報であるＧＰＳ測位情報を前記電子メールへ添付させる添付指示とを受け付けると、操作者からの電子メール本文入力の受け付けと並行して、前記ＧＰＳ受信部に衛星軌道情報と位置測定用の時刻情報を受信させ、該受信した衛星軌道情報と位置測定用の時刻情報とに基づき、前記ＧＰＳ測位情報を取得して、前記電子メール作成が終了した後、前記取得したＧＰＳ測位情報を前記電子メールに添付して、前記無線部から無線送信させ、
前記定点モードにおいて、
前記操作部が、操作者からの電子メール作成開始指示と、当該無線通信装置の位置情報であるＧＰＳ測位情報を前記電子メールへ添付させる添付指示とを受け付けると、操作者からの電子メール本文入力の受け付けと並行して、前記ＧＰＳ受信部に衛星軌道情報と位置測定用の時刻情報を受信させ、該受信した衛星軌道情報と位置測定用の時刻情報とに基づき、前記ＧＰＳ測位情報を取得して前記記憶部に記憶させ、前記電子メール作成が終了した後、前記記憶部に記憶させたＧＰＳ測位情報を前記電子メールに添付して、前記無線部から無線送信させ、次に、前記操作部が、操作者からの電子メール作成開始指示と、当該無線通信装置の位置情報であるＧＰＳ測位情報を前記電子メールへ添付させる添付指示とを受け付けると、前回取得して前記記憶部に記憶させたＧＰＳ測位情報を前記電子メールに添付して、前記無線部から無線送信させることを特徴とする無線通信装置。
【請求項２】
請求項１に記載された無線通信装置であって、
前記非定点モードにおいて、
前記制御部は、
前記操作部が、操作者からの第１の電子メールの作成開始指示と、該第１の電子メールへＧＰＳ測位情報を添付させる第１の添付指示とを受け付けると、前記ＧＰＳ受信部に第１の衛星軌道情報と位置測定用の第１の時刻情報を受信させ、該第１の衛星軌道情報を前記記憶部に記憶させるとともに、前記第１の衛星軌道情報と前記第１の時刻情報とに基づき第１のＧＰＳ測位情報を取得し、前記第１の電子メール作成が終了した後、前記第１のＧＰＳ測位情報を前記第１の電子メールに添付して前記無線部から無線送信させ、次に、操作者からの第２の電子メールの作成開始指示と、該第２の電子メールへＧＰＳ測位情報を添付させる第２の添付指示とを受け付けると、前記記憶部に記憶された第１の衛星軌道情報が使用可能であるか否かを、前記第１の衛星軌道情報を取得したときの時刻と現在時刻との比較により判断し、前記記憶部に記憶された第１の衛星軌道情報が使用可能な場合は、前記ＧＰＳ受信部に位置測定用の第２の時刻情報を受信させ、該第２の時刻情報と前記第１の衛星軌道情報とに基づき、第２のＧＰＳ測位情報を取得し、前記第２の電子メール作成が終了した後、前記第２のＧＰＳ測位情報を前記第２の電子メールに添付して前記無線部から無線送信させることを特徴とする無線通信装置。
【請求項３】
請求項２に記載された無線通信装置であって、
前記第１の衛星軌道情報は、第１の衛星軌道情報Ａと該第１の衛星軌道情報Ａよりも有効期間の短い第１の衛星軌道情報Ｂとを含み、
前記制御部は、操作者からの前記第２の電子メールの作成開始指示と、該第２の電子メールへＧＰＳ測位情報を添付させる第２の添付指示とを受け付けたときに、前記記憶部に記憶された第１の衛星軌道情報が使用可能であるか否かを、前記第１の衛星軌道情報を取得したときの時刻と現在時刻との比較により判断し、前記記憶部に記憶された第１の衛星軌道情報Ａが使用可能であるが第１の衛星軌道情報Ｂが使用可能でない場合は、前記ＧＰＳ受信部に前記第２の時刻情報と第２の衛星軌道情報Ｂとを受信させ、該第２の時刻情報と第２の衛星軌道情報Ｂと前記記憶部に記憶された第１の衛星軌道情報Ａとに基づき、第２のＧＰＳ測位情報を取得し、前記第２の電子メール作成が終了した後、該第２の電子メールに前記第２のＧＰＳ測位情報を添付して前記無線部から無線送信させることを特徴とする無線通信装置。
【発明の詳細な説明】
【技術分野】
【０００１】
本発明は、ＧＰＳ（Global Positioning System）測位機能を搭載する無線通信装置に関し、無線通信装置から電子メールやテキストデータや画像データ等を、他の装置、例えば上位装置に送信する際、これらの送信データにＧＰＳ測位情報を添付する無線通信装置に関するものである。
【背景技術】
【０００２】
携帯無線機等の携帯型の無線通信装置において、電子メールやテキストデータや画像データ等を、他の装置に送信する際、これらの送信データにＧＰＳ測位情報（経度、緯度）を添付することが行われている。例えば、市町村防災無線システム等の携帯無線機を用いて、災害現場の状況を市役所等に設置された上位装置に送信する際、その地点のＧＰＳ測位情報を、電子メール本文に添付して送信する。こうすることで、上位装置において、どの災害現場からの状況報告であるかを容易に識別することができる。
【０００３】
あるいは、災害現場の状況をカメラで撮影し、撮影した地点のＧＰＳ測位情報を、撮影した画像データに添付して送信する。こうすることで、上位装置において、撮影した画像データが、どの災害現場の画像データであるかを容易に識別することができる。
【０００４】
ＧＰＳ測位においては、距離を測るための時刻信号と、ＧＰＳ衛星の位置を知るための衛星軌道情報とを、ＧＰＳ衛星から受信して用いる。衛星軌道情報は、アルマナック情報と、アルマナック情報よりも詳細なエフェメリス情報とを含む。時刻信号は短時間で取得できるが、衛星軌道情報は、ＧＰＳ衛星から取得するのに多くの時間を要する。例えば、時刻信号とアルマナック情報とエフェメリス情報とを取得するには約４０秒を要し、時刻信号とエフェメリス情報とを取得するには約２５秒を要し、時刻信号のみを取得するには約３秒を要す。
【０００５】
したがって、携帯無線機から、電子メールやテキストデータや画像データを上位装置に送信する際、これらの送信データにＧＰＳ測位情報を添付するためにＧＰＳ測位を行うと、ＧＰＳ測位に時間がかかるため、上位装置へのデータ送信完了迄に多くの時間がかかる、つまり、上位装置へのデータ送信が、起動に時間のかかるコールドスタートになるという問題がある。
【０００６】
この問題を回避するためには、アルマナック、エフェメリスの両衛星軌道情報を定期的にＧＰＳ衛星より得て携帯無線機に記憶しておき、両衛星軌道情報を常に使用できる状態、つまり、上位装置へのデータ送信を、起動の最も速いホットスタートできる状態にしておくことが望ましい。しかしながら、アルマナック情報は１週間程度、エフェメリス情報は２時間程度しか有効でなく、それ以上時間が経過すると無効になる。したがって、頻繁に衛星軌道情報を取得する必要があるが、携帯無線機等の携帯型の電池（バッテリー）を使用する無線通信装置では、バッテリー容量が有限であるので、常にＧＰＳ受信機を動作させていると、すぐに使用可能なバッテリー残量が無くなってしまうという問題がある。
【０００７】
下記の特許文献１には、携帯電話で、倒壊等した設備の画像付メールを送信する際に、情報の正確性保証のため、ＧＰＳにより位置情報を自動的に取得して送信することが記載されている。
【先行技術文献】
【特許文献】
【０００８】
【特許文献１】特開２００６−１３４１１９公報
【発明の概要】
【発明が解決しようとする課題】
【０００９】
本発明は、上述したような従来の課題を解決するために為されたもので、頻繁にＧＰＳ衛星から情報を取得しなくても、ＧＰＳ測位情報を添付してデータを送信する際に、短時間でデータ送信完了することのできる無線通信装置を提供することを目的とする。
【課題を解決するための手段】
【００１０】
上記課題を解決するための、本願発明に係る無線通信装置の代表的な構成は、次のとおりである。すなわち、
操作者からの入力操作を受け付ける操作部と、
基地局との間で無線信号を送受信する無線部と、
ＧＰＳ衛星から衛星軌道情報と位置測定用の時刻情報とを受信するＧＰＳ受信部と、
前記操作部、前記無線部、前記ＧＰＳ受信部を制御する制御部とを備える無線通信装置であって、
前記制御部は、
前記操作部が、操作者からの電子メール作成開始指示と、当該無線通信装置の位置情報であるＧＰＳ測位情報を前記電子メールへ添付させる添付指示とを受け付けると、操作者からの電子メール本文入力の受け付けと並行して、前記ＧＰＳ受信部に衛星軌道情報と位置測定用の時刻情報を受信させ、該受信した衛星軌道情報と位置測定用の時刻情報とに基づき、前記ＧＰＳ測位情報を取得して、前記電子メール作成が終了した後、前記取得したＧＰＳ測位情報を前記電子メールに添付して、前記無線部から無線送信させることを特徴とする無線通信装置。
【発明の効果】
【００１１】
頻繁にＧＰＳ衛星から情報を取得しなくても、ＧＰＳ測位情報を添付してデータを送信する際に、短時間でデータ送信完了することができる。
【図面の簡単な説明】
【００１２】
【図１】本発明の実施形態に係る無線通信装置の構成例を示す図である。
【図２（ａ）】第１実施例に係るＧＰＳ測位情報を電子メールに添付する場合における無線通信装置の制御部の動作フローである。
【図２（ｂ）】第１実施例に係るＧＰＳ測位情報を電子メールに添付する場合における無線通信装置の制御部の動作フローである。
【図３】第２実施例に係るＧＰＳ測位情報を電子メールに添付する場合における無線通信装置の制御部の動作フローの一部である。
【図４】第３実施例に係るＧＰＳ測位情報をカメラからの画像情報に添付する場合における無線通信装置の制御部の動作フローである。
【図５】第５実施例に係るＧＰＳ測位情報をデータ伝送装置からの情報に添付する場合の動作フローである。
【発明を実施するための形態】
【００１３】
以下、本発明の実施形態について図１〜図５を用いて説明する。
まず、無線通信装置の構成について、図１を用いて説明する。図１は、本発明の実施形態に係る無線通信装置の構成例を示す図である。
図１において、１０１は、例えば市役所等に設置された上位装置との間で基地局を介して無線信号を送受信するためのアンテナである。１０２は、無線通信装置が属する無線通信システムの基地局からアンテナ１０１を介して無線周波数帯域の信号を受信し、該受信した無線周波数帯域の信号からベースバンド帯域の信号へと帯域変換する、または、ベースバンド信号から無線周波数帯域への信号へ帯域変換し、該帯域変換した無線周波数帯域の信号を、アンテナ１０１を介して、基地局へ送信する無線部である。
【００１４】
１０３は、無線部１０２でベースバンド帯域に変換された信号のベースバンド復調処理やデータ復号化処理、及び無線部１０２を経由し、基地局に対してデータを送信するためのデータ符号化処理やベースバンド変調処理を行う信号処理部である。１０４は、信号処理部１０３にて復調したアナログ音声信号を音声に変換して出力するスピーカ、１０５は入力された音声を音声信号に変換するためのマイク、１０７は操作者からのメールの文字入力等の入力操作を受け付ける操作部、１０８は無線通信装置の状態等を表示するＬＣＤ等を用いた表示部、１０９は後述するＧＰＳ測位情報やＧＰＳ測位情報取得フラグ等を記憶する記憶部、１１０はＧＰＳ衛星からの衛星軌道情報や位置測定用の時刻情報等の各種情報を受信するＧＰＳ受信部、１１１はＧＰＳ受信機用のアンテナ、１１２は無線通信装置外部の機器との間で送受信するデータの受渡を行う、つまりインタフェースをとるデータインタフェース部（データＩＦ部）である。ここで、無線通信装置外部の機器とは、例えば、カメラや、データ伝送装置としてのパソコン（パーソナルコンピュータ）等である。
【００１５】
１０６は、以上説明した無線通信装置の各部を制御する制御部であり、操作部１０７で受け付けた操作者からの指示に基づき、ＧＰＳ衛星からの衛星軌道情報や位置測定用の時刻情報をＧＰＳ受信部１１０に受信させ、該受信した衛星軌道情報や位置測定用の時刻情報に基づき、当該無線通信装置の位置情報であるＧＰＳ測位情報を算出して取得し、記憶部１０９に記憶させる。このＧＰＳ測位情報には、取得した時点の時刻情報が含まれる。また、制御部１０６は、該取得したＧＰＳ測位情報を、無線部１０２から基地局を介して上位装置へ送信する。
【００１６】
また、制御部１０６は、操作者が操作部１０７と表示部１０８を用い電子メールを作成して上位装置へ送信する場合は、電子メール本文作成前に、ＧＰＳ測位情報を電子メールに添付するか否かの操作（操作者からの指示）を求め、ＧＰＳ測位情報を添付する場合は、操作者による電子メール本文作成、つまり操作部１０７への文字入力作業と並行して、ＧＰＳ衛星からの衛星軌道情報や位置測定用の時刻情報を受信して、ＧＰＳ測位情報を算出して取得するように制御する。
【００１７】
また、制御部１０６は、カメラが無線通信装置に接続された場合は、カメラが無線通信装置に接続、つまり無線通信装置のデータＩＦ部１１２に接続されたことを検出したことに基づき、又は、カメラからの画像データ伝送要求情報をデータＩＦ部１１２を介して受信したことことに基づき、カメラから無線通信装置への画像データ伝送と並行して、ＧＰＳ衛星からの衛星軌道情報や位置測定用の時刻情報を受信して、ＧＰＳ測位情報を算出して取得するように制御する。
【００１８】
また、制御部１０６は、パソコン等のデータ伝送装置が無線通信装置に接続された場合は、データ伝送装置からのＧＰＳ測位命令をデータＩＦ部１１２を介して受信したことことに基づき、データ伝送装置におけるデータ作成処理と並行して、ＧＰＳ衛星からの衛星軌道情報や位置測定用の時刻情報を受信して、ＧＰＳ測位情報を算出して取得するように制御する。制御部１０６の動作は、後述の実施例において詳しく説明する。
【００１９】
（第１実施例）
本実施形態の第１実施例として、ＧＰＳ測位情報を電子メールに添付する場合における、無線通信装置としての無線機の制御部の動作を、図２を用いて説明する。図２は、ＧＰＳ測位情報を電子メールに添付する場合における無線機の制御部の動作フローである。
【００２０】
まず、図２（a）に示すように、無線機の電源が操作者によりオンされ、無線機の起動が完了し無線機が動作可能状態になる（ステップＳ２０１）。次に、制御部１０６は、表示部１０８にメール作成メニューを表示し、操作者によりメール作成メニューが選択される（ステップＳ２０２）と、メール本文にＧＰＳ測位情報を添付するかどうかの選択肢を表示部１０８に表示する。操作者は、メール本文にＧＰＳ測位情報を添付するかどうかの選択を、操作部１０７から行う。
【００２１】
制御部１０６は、メール本文にＧＰＳ測位情報を添付する指示がなされたか否かを判断し（ステップＳ２０３）、ＧＰＳ測位情報を添付しない場合は（ステップＳ２０３でＮｏ）、操作者によるメール本文入力を受け付けるメール本文入力受付け動作を行う（ステップＳ２０４）。その後、制御部１０６は、メール本文入力が完了したか判断し（ステップＳ２０５）、入力完了したと判断すると（ステップＳ２０５でＹｅｓ）、表示部１０８にメール送信メニューを表示する。操作者によりメール送信メニューが選択されると（ステップＳ２０６）、ＧＰＳ測位情報を添付することなくメールを送信し（ステップＳ２０７）、処理を終了する。
【００２２】
ステップＳ２０３で、メール本文にＧＰＳ測位情報を添付する指示がなされたと判断した場合は（ステップＳ２０３でＹｅｓ）、制御部１０６は、図２（b）に示すステップＳ２１１以下のメール本文入力受付け動作とステップＳ２２１以下のＧＰＳ測位情報取得動作を並行して行う。
【００２３】
ＧＰＳ測位情報取得動作において、制御部１０６は、ＧＰＳ衛星からの衛星軌道情報や位置測定用の時刻情報をＧＰＳ受信部１１０に受信させ、該受信した衛星軌道情報や位置測定用の時刻情報に基づき、ＧＰＳ測位情報（緯度、経度、取得時の時刻情報を含む）を算出して取得する（ステップＳ２２１）。次に、制御部１０６は、取得したＧＰＳ測位情報を記憶部１０９に記憶し、記憶部１０９のＧＰＳ測位情報取得フラグを「１」にして（ステップＳ２２２）、ＧＰＳ測位情報取得動作を終了する。
【００２４】
メール本文入力受付け動作において、制御部１０６は、メール本文入力を受付け（ステップＳ２１１）、メール本文入力が完了したか否か判断し（ステップＳ２１２）、例えば操作部１０７のメール入力完了キーが押下されたか判断し、メール本文入力が完了したと判断すると（ステップＳ２１２でＹｅｓ）、記憶部１０９にＧＰＳ測位情報データが記憶されているか否か、つまり、ＧＰＳ測位情報取得フラグが「１」になったか否かを確認する（ステップＳ２１３）。なお、ＧＰＳ測位情報取得フラグは、本実施例では、操作者によりメール作成メニューが選択された時点（ステップＳ２０２）で、「０」にリセットされるようになっている。
【００２５】
ＧＰＳ測位情報データが記憶されていない場合は（ステップＳ２１４でＮｏ）、一定時間待った後（ステップＳ２１７）、ステップＳ２１３へ戻り再度、記憶部１０９にＧＰＳ測位情報データが記憶されているか否かを確認する。記憶部１０９にＧＰＳ測位情報データが記憶されていた場合は（ステップＳ２１４でＹｅｓ）、表示部１０８にメール送信メニューを表示する。操作者によりメール送信メニューが選択されると（ステップＳ２１５）、記憶部１０９に記憶していたＧＰＳ測位情報データをメールに添付して、無線部１０２から基地局へ無線送信し（ステップＳ２１６）、メール送信動作を終了する。
【００２６】
第１実施例によれば、少なくとも次の（１）〜（２）の効果を得ることができる。
（１）メール本文作成前にＧＰＳ測位情報を取得開始し、メール本文作成と並行してＧＰＳ測位情報を取得するので、ＧＰＳ測位情報を添付せずにメール送信する場合と略同様の時間でＧＰＳ測位情報を添付してメール送信できる。
（２）メール本文作成前の時点で、ＧＰＳ測位情報をメールに添付するかどうかを操作者が選択し、メールに添付する場合は、メール本文作成と並行してＧＰＳ測位情報を取得するようにしたので、メールの内容等に応じてＧＰＳ測位情報を添付することができる。また、ＧＰＳ測位情報をメールに添付しない場合は、ＧＰＳ測位情報を取得することがなく消費電力を低減でき、バッテリーを長持ちさせることができる。
【００２７】
（第２実施例）
次に、本実施形態の第２実施例を説明する。第２実施例は、第１実施例の変形例であり、第１実施例のステップＳ２２１を、ステップＳ３２１に変えたものであり、他のステップは第１実施例と同様である。ここでは、変更部分のみ説明する。
【００２８】
ステップＳ２０３で、メール本文にＧＰＳ測位情報を添付する指示がなされたと判断した場合は（ステップＳ２０３でＹｅｓ）、制御部１０６は、ステップＳ２１１以下のメール本文入力受付け動作とステップＳ３２１以下のＧＰＳ測位情報取得動作を並行して行う。
【００２９】
ステップＳ３２１のＧＰＳ測位情報取得動作において、制御部１０６は、まず、記憶部１０９に記憶されている前回取得したＧＰＳ衛星からの衛星軌道情報（アルマナック情報、エフェメリス情報）が使用可能であるか否かを判断する（ステップＳ３２１ａ）。前回取得した衛星軌道情報が使用可能であるか否かは、前回取得したときの時刻と現在時刻との比較により判断できる。アルマナック情報は１週間程度、エフェメリス情報は２時間程度の間有効であるから、前回取得したときの時刻から約２時間程度であれば、アルマナック情報とエフェメリス情報の両方を使用可能である。
【００３０】
アルマナック情報とエフェメリス情報の両方の衛星軌道情報が使用可能である場合は（ステップＳ３２１ａでＹｅｓ）、制御部１０６は、位置測定用の時刻情報をＧＰＳ受信部１１０に受信させ、該受信した位置測定用の時刻情報と記憶部１０９に記憶されている衛星軌道情報とに基づき、ＧＰＳ測位情報を算出して取得する（ステップＳ３２１ｃ）。このとき、ＧＰＳ受信部１１０では衛星軌道情報を受信しないようにするので、短時間でＧＰＳ測位情報を取得することができる。
【００３１】
アルマナック情報とエフェメリス情報の少なくとも一方が使用可能でない場合は（ステップＳ３２１ａでＮｏ）、制御部１０６は、使用可能でない衛星軌道情報をＧＰＳ受信部１１０に受信させ取得して記憶部１０９に記憶させ（ステップＳ３２１ｂ）、さらに、位置測定用の時刻情報をＧＰＳ受信部１１０に受信させ、該受信した衛星軌道情報や位置測定用の時刻情報と、記憶部１０９に記憶させていた使用可能な衛星軌道情報とに基づき、ＧＰＳ測位情報を算出して取得する（ステップＳ３２１ｃ）。また、受信し取得した衛星軌道情報とその取得時刻情報とを対応付けて記憶部１０９に記憶させる。
例えば、アルマナック情報とエフェメリス情報の両方が使用可能でない場合は、制御部１０６は、アルマナック情報とエフェメリス情報の両方、及び位置測定用の時刻情報をＧＰＳ衛星から取得するので、この取得に約４０秒間を要する。また、アルマナック情報は使用可能だがエフェメリス情報が使用可能でない場合は、エフェメリス情報、及び位置測定用の時刻情報をＧＰＳ衛星から取得するので、この取得に約２５秒間を要する。
【００３２】
制御部１０６は、取得したＧＰＳ測位情報を記憶部１０９に記憶し、記憶部１０９のＧＰＳ測位情報取得フラグを「１」にして（ステップＳ２２２）、ＧＰＳ測位情報取得動作を終了する。
【００３３】
なお、上述の例では、ステップＳ３２１のＧＰＳ測位情報取得動作において、前回取得した衛星軌道情報を利用するようにしたが、無線機の位置が変わらないような場合、例えば、一定時間、同じ位置で定点観測を行うような場合は、前回取得した衛星軌道情報を利用するのではなく、前回取得したＧＰＳ測位情報を利用することが可能である。
この場合、例えば操作者が操作部１０７から、予め定点観測モードを設定しておく。制御部１０６は、定点観測モードの場合は、ステップＳ３２１のＧＰＳ測位情報取得動作において衛星軌道情報の受信や取得動作をすることなく、前回取得して記憶部１０９に記憶させたＧＰＳ測位情報を維持し、記憶部１０９のＧＰＳ測位情報取得フラグを「１」にして（ステップＳ２２２）、ＧＰＳ測位情報取得動作を終了する。
【００３４】
第２実施例によれば、第１実施例の（１）〜（２）の効果に加えて、少なくとも次の（３）〜（４）の効果を得ることができる。
（３）記憶させていたアルマナック情報とエフェメリス情報の両方の衛星軌道情報が使用可能である場合は、新たに衛星軌道情報を取得する必要がないので、記憶させていた衛星軌道情報が使用可能でない場合に比べて、消費電力を低減できる。また、記憶させていた衛星軌道情報が使用可能でない場合に比べて、短時間でＧＰＳ測位情報を取得することができるので、メール本文作成時間が極短いような場合、例えば、無線機のＧＰＳ測位情報のみを送信するような場合に、ＧＰＳ測位情報を取得するためにメール送信が遅れることを抑制することができる。
（４）記憶させていたアルマナック情報とエフェメリス情報の少なくとも一方の衛星軌道情報が使用可能である場合は、使用可能でない方の衛星軌道情報のみを新たに受信すればよいので、両方とも使用可能でない場合に比べて、消費電力を低減でき、また、短時間でＧＰＳ測位情報を取得することができる。
【００３５】
（第３実施例）
本実施形態の第３実施例として、カメラ（撮像部）で撮影した画像情報にＧＰＳ測位情報を添付する場合の無線機の制御部の動作を、図４を用いて説明する。図４は、カメラからの画像情報にＧＰＳ測位情報を添付する場合の制御部の動作フローである。
【００３６】
まず、無線機の電源が操作者によりオンされ、無線機の起動が完了し無線機が動作可能状態になった後、制御部１０６は、無線機がカメラモードになったか否かを判断する（ステップＳ４０１）。カメラモードとは、操作者の操作により設定されるモードであって、例えば、撮影済みの画像を内蔵するカメラが無線機に外付けされて、カメラで撮影済みの画像が無線機に伝送可能な状態になることである。例えば、カメラが無線機、つまり無線機のデータＩＦ部１１２に接続されたことを検出すると、カメラモードと判断する。
あるいは、カメラモードとは、無線機にカメラが内蔵されている場合は、操作者の操作により内蔵カメラで撮影済みの画像が無線機に伝送可能な状態になることである。例えば、表示部１０８にカメラモード選択メニューを表示し、操作部１０７から操作者にカメラモード選択メニューを選択させることで、カメラモードにすることができる。
【００３７】
カメラモードにおいて、さらに操作者により画像伝送操作が行われることにより、カメラから画像伝送要求が無線機へ送信され、続いて、撮影済みの画像が無線機へ伝送される。このように、操作者の第１の操作によりカメラモードにされ、さらにカメラモードにおいて、操作者の第２の操作により画像伝送操作が行われることにより、撮影済みの画像がカメラから無線機へ伝送される
【００３８】
制御部１０６は、無線機がカメラモードになると（ステップＳ４０１でＹｅｓ）、ステップＳ４０２以下のカメラ画像データ受信動作とステップＳ４１２のＧＰＳ測位情報取得動作を並行して行う。
【００３９】
ステップＳ４１２のＧＰＳ測位情報取得動作において、制御部１０６は、ＧＰＳ衛星からの衛星軌道情報や位置測定用の時刻情報をＧＰＳ受信部１１０に受信させ、該受信した衛星軌道情報や位置測定用の時刻情報に基づき、ＧＰＳ測位情報を算出して取得する。制御部１０６は、ＧＰＳ測位情報を取得完了すると、ＧＰＳ測位情報を記憶部１０９に記憶し、記憶部１０９のＧＰＳ測位情報取得フラグを「１」にして、ＧＰＳ測位情報取得動作を終了する。
【００４０】
ステップＳ４０２以下の、カメラからの画像データ受信動作において、制御部１０６は、画像データ伝送要求をカメラから受信したか否かを判断し（ステップＳ４０２）、画像データ伝送要求を受信すると（ステップＳ４０２でＹｅｓ）、続けて、複数の画像データをカメラから受信する（ステップＳ４０３）。画像データをカメラから受信する時間は、例えば１分程度である。
制御部１０６は、カメラから画像データを受信完了したか否かを判断し（ステップＳ４０４）、カメラから画像データを受信完了すると（ステップＳ４０４でＹｅｓ）、記憶部１０９にＧＰＳ測位情報データが記憶されているか否か、つまり、ＧＰＳ測位情報取得フラグが「１」になったか否かを確認する（ステップＳ４０５）。なお、本実施例では、ＧＰＳ測位情報取得フラグは、カメラモードになった時点で、「０」にリセットされるようになっている。
【００４１】
記憶部１０９にＧＰＳ測位情報データが記憶、つまり、ＧＰＳ測位情報取得フラグが「１」になると（ステップＳ４０５でＹｅｓ）、上位装置と接続するため基地局との間の回線を接続し（ステップＳ４０６）、送信用無線フレームに画像データとＧＰＳ測位情報を割り付け（ステップＳ４０７）、画像データとＧＰＳ測位情報を無線部１０２から無線送信して（ステップＳ４０８）、処理を終了する。画像データとＧＰＳ測位情報を無線送信する時間は、例えば１〜２分程度である。
【００４２】
上述の図４の例では、ステップＳ４０１で無線機がカメラモードになると、ステップＳ４０２以下のカメラ画像データ受信動作とステップＳ４１２のＧＰＳ測位情報取得動作を並行して行うようにしたが、ステップＳ４１２のＧＰＳ測位情報取得動作は、カメラモード以外の別の事象をトリガに開始するよう構成することもできる。
例えば、ステップＳ４０２で画像データ伝送要求をカメラから受信したことをトリガにして、ステップＳ４１２のＧＰＳ測位情報取得動作を開始するように構成してもよい。上述したように、画像データをカメラから受信する時間は１分程度要するので、ステップＳ４０８で画像データとＧＰＳ測位情報を無線送信開始するまでに、ＧＰＳ測位情報を受信して取得することができる。
【００４３】
また、例えば、ステップＳ４０６の回線接続や、ステップＳ４０８の無線送信開始をトリガにして、ステップＳ４１２のＧＰＳ測位情報取得動作を開始するように構成してもよい。上述したように、画像データを無線送信する時間は１〜２分程度であるので、ステップＳ４０８の画像データ送信中にＧＰＳ測位情報を取得し、送信中の画像データの最後尾にＧＰＳ測位情報を添付して無線送信することが可能である。
【００４４】
第３実施例によれば、少なくとも次の（５）〜（６）の効果を得ることができる。
（５）画像データをカメラから受信開始する前にＧＰＳ測位情報を取得開始し、カメラからの画像データ受信と並行してＧＰＳ測位情報を取得できるので、ＧＰＳ測位情報を取得するために、上位装置への画像データ送信時間が長くなることを抑制できる。
（６）あるいは、上位装置への画像データ送信開始以前に、ＧＰＳ測位情報を取得開始し、上位装置への画像データ送信と並行してＧＰＳ測位情報を取得できるので、ＧＰＳ測位情報を取得するために、上位装置への画像データ送信時間が長くなることを抑制できる。
【００４５】
（第４実施例）
次に、本実施形態の第４実施例を説明する。上述の第３実施例では、カメラで撮影済みの複数の画像をまとめて無線機に伝送し、無線機から基地局へ複数の画像をまとめて無線送信する例を説明したが、カメラで撮影する都度、撮影した画像を無線機に伝送し、その画像をＧＰＳ測位情報とともに無線機から基地局へ無線送信するよう構成することも可能である。
【００４６】
この第４実施例の場合は、まず、操作者の第１の操作により無線機をカメラモードに設定する。例えば、カメラを無線機に外付けする、又は、無線機にカメラが内蔵されている場合は、カメラモード選択メニューを操作者が選択することによりカメラモードに設定する。カメラモードになると、制御部１０６は、ＧＰＳ衛星からの衛星軌道情報をＧＰＳ受信部１１０に受信させ、該受信した衛星軌道情報を記憶部１０９に記憶させる。このとき、位置測定用の時刻情報は受信してもよいが、必ずしも受信する必要はない。
【００４７】
次に、操作者がカメラで撮影すると、つまり操作者が第２の操作を行うと、制御部１０６は、ＧＰＳ衛星からの位置測定用の時刻情報をＧＰＳ受信部１１０に受信させ、該受信した位置測定用の時刻情報と、記憶部１０９に記憶された衛星軌道情報とに基づき、ＧＰＳ測位情報を算出して取得する。このようにして、カメラで撮影する都度、撮影した画像情報と、撮影した時点のＧＰＳ測位情報とを、無線機から上位装置へ無線送信することができる。
【００４８】
第４実施例によれば、少なくとも次の（７）の効果を得ることができる。
（７）移動しながらカメラで撮影した画像を、撮影した位置のＧＰＳ測位情報とともに、無線機から上位装置へ無線送信することができる。
【００４９】
（第５実施例）
本実施形態の第５実施例として、ＧＰＳ測位情報を、メッセージデータを作成し無線機から伝送するパソコン等のデータ伝送装置からのメッセージデータに添付する場合の無線機の制御部の動作を、図５を用いて説明する。図５は、第５実施例に係るＧＰＳ測位情報をデータ伝送装置からのメッセージデータに添付する場合の動作フローである。
【００５０】
まず、メッセージデータ作成装置としてのデータ伝送装置の動作フローを説明する。
データ伝送装置がデータＩＦ部１１２を介して無線機に接続された状態で、データ伝送装置において、例えば操作者の操作により、メッセージを作成し送信するためのアプリケーションプログラムが起動されると（ステップＳ６０１）、データ伝送装置から無線機へ、ＡＴコマンドが発行される（ステップＳ６０２）。ＡＴコマンドは、データ伝送装置において、これからメッセージが作成され送信されることを示す信号である。
【００５１】
次に、データ伝送装置において、そのメッセージ送信にＧＰＳ測位情報を添付するか否かが判断される（ステップＳ６０３）。このＧＰＳ測位情報を添付するか否かの指示は、データ伝送装置において、例えば操作者の操作により行われる。
ＧＰＳ測位情報を添付する場合は（ステップＳ６０３でＹｅｓ）、データ伝送装置から無線機へ、ＧＰＳ測位を開始させるためのＧＰＳ測位命令が発行される（ステップＳ６０４）とともに、メッセージ作成が開始される（ステップＳ６０５）。例えば、データ伝送装置において、操作者からの文字入力を受け付ける。ＧＰＳ測位情報を添付しない場合は（ステップＳ６０３でＮｏ）、ステップＳ６０４のＧＰＳ測位命令が発行されることなく、メッセージ作成が開始される（ステップＳ６０５）。
【００５２】
メッセージ作成が終了すると（ステップＳ６０６）、無線機からＧＰＳ測位完了通知を受信する（ステップＳ５０６）のを待って、作成したメッセージデータが無線機へ送信され（ステップＳ６０７）、無線機へのデータ転送が行われる（ステップＳ６０８）。
【００５３】
次に、無線機の動作フローを説明する。
無線機がスリープ状態にあるときに（ステップＳ５０１）、データ伝送装置からＡＴコマンドを受信すると（ステップＳ５０２）、無線機はウエイクアップ状態になる（ステップＳ５０３）。スリープ状態とは、例えば無線機の送受信部への電力供給が停止されて送受信機能が停止中の状態であり、ウエイクアップ状態とは、無線機の送受信部への電力供給が行われて送受信機能が作動中の状態である。
【００５４】
ウエイクアップ状態でデータ伝送装置からＧＰＳ測位命令を受信すると（ステップＳ６０４）、無線機は、ＧＰＳ測位を開始する（ステップＳ５０４）。ＧＰＳ測位が終了すると（ステップＳ５０５）、無線機は、ＧＰＳ測位完了通知をデータ伝送装置へ送信する（ステップＳ５０６）。その後、データ伝送装置からメッセージデータ送信が行われる（ステップＳ６０８）と、転送されたメッセージデータを受信し、該受信データに、ステップＳ５０５で測位終了したＧＰＳ測位情報を添付して（ステップＳ５０７）、無線機から上位装置へ無線送信する（ステップＳ５０８）。
【００５５】
なお、上述のように、データ伝送装置は、無線機からのＧＰＳ測位完了通知（ステップＳ５０６）を待ってから、メッセージデータ送信（ステップＳ６０７）を行うように構成するのではなく、データ伝送装置は、無線機からのＧＰＳ測位完了通知（ステップＳ５０６）を待つことなく、メッセージデータ作成終了次第、メッセージデータ送信（ステップＳ６０７）を行うように構成することも可能である。この場合、無線機は、ＧＰＳ測位終了し、かつ、データ伝送装置からのメッセージデータを受信した後、メッセージデータにＧＰＳ測位情報を添付して無線送信する。したがって、無線機からのＧＰＳ測位完了通知（ステップＳ５０６）は必要ではない。
【００５６】
このように、第５実施例においては、データ伝送装置のような外部機器からＧＰＳ測位情報の取得指示を受信すると、衛星軌道情報と位置測定用の時刻情報を受信し、該受信した衛星軌道情報と位置測定用の時刻情報とに基づき、当該無線機のＧＰＳ測位情報を取得し、上記外部機器からのＧＰＳ測位情報取得指示を受信後、外部機器で作成されたメッセージデータを受信すると、該メッセージデータに取得したＧＰＳ測位情報を添付して、無線送信するものである。
【００５７】
第５実施例によれば、少なくとも次の（８）〜（９）の効果を得ることができる。
（８）データ伝送装置において、メッセージデータを作成開始する前にＧＰＳ測位命令を無線機へ発行することにより、データ伝送装置でメッセージデータを作成終了する前に、無線機でＧＰＳ測位情報を取得開始し、メッセージデータ作成と並行してＧＰＳ測位情報を取得できるので、ＧＰＳ測位情報をメッセージデータに添付しても、上位装置へのメッセージデータ送信時間が長くなることを抑制できる。
（９）メッセージデータ作成前の時点で、ＧＰＳ測位情報をメッセージデータに添付するかどうかを選択し、メッセージデータに添付する場合は、メッセージデータ作成と並行してＧＰＳ測位情報を取得するようにしたので、メッセージデータの内容等に応じてＧＰＳ測位情報を添付することができる。また、ＧＰＳ測位情報をメッセージデータに添付しない場合は、ＧＰＳ測位情報を取得することがなく消費電力を低減でき、バッテリーを長持ちさせることができる。
【００５８】
なお、本発明は、前記実施形態に限定されるものではなく、その要旨を逸脱しない範囲で種々に変更が可能であることはいうまでもない。例えば、第２実施例で説明した技術は、第３実施例ないし第５実施例にも適用可能である。
また、本発明は、本発明に係る処理を実行する装置としてだけでなく、システム、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００５９】
本明細書には、少なくとも次の構成が含まれる。
第１の構成は、
操作者からの入力操作を受け付ける操作部と、
基地局との間で無線信号を送受信する無線部と、
ＧＰＳ衛星から衛星軌道情報と位置測定用の時刻情報とを受信するＧＰＳ受信部と、
前記操作部、前記無線部、前記ＧＰＳ受信部を制御する制御部とを備える無線通信装置であって、
前記制御部は、
前記操作部が、操作者からの電子メール作成開始指示と、当該無線通信装置の位置情報であるＧＰＳ測位情報を前記電子メールへ添付させる添付指示とを受け付けると、操作者からの電子メール本文入力の受け付けと並行して、前記ＧＰＳ受信部に衛星軌道情報と位置測定用の時刻情報を受信させ、該受信した衛星軌道情報と位置測定用の時刻情報とに基づき、前記ＧＰＳ測位情報を取得して、前記電子メール作成が終了した後、前記取得したＧＰＳ測位情報を前記電子メールに添付して、前記無線部から無線送信させることを特徴とする無線通信装置。
【００６０】
第２の構成は、第１の構成の無線通信装置であって、
各種情報を記憶する記憶部を備え、
前記制御部は、
前記操作部が、操作者からの第１の電子メールの作成開始指示と、該第１の電子メールへＧＰＳ測位情報を添付させる第１の添付指示とを受け付けると、前記ＧＰＳ受信部に第１の衛星軌道情報と位置測定用の第１の時刻情報を受信させ、該第１の衛星軌道情報を前記記憶部に記憶させるとともに、前記第１の衛星軌道情報と前記第１の時刻情報とに基づき第１のＧＰＳ測位情報を取得し、前記第１の電子メール作成が終了した後、前記第１のＧＰＳ測位情報を前記第１の電子メールに添付して前記無線部から無線送信させ、次に、操作者からの第２の電子メールの作成開始指示と、該第２の電子メールへＧＰＳ測位情報を添付させる第２の添付指示とを受け付けると、前記記憶部に記憶された第１の衛星軌道情報の取得時刻が使用可能な場合は、前記ＧＰＳ受信部に位置測定用の第２の時刻情報を受信させ、該第２の時刻情報と前記第１の衛星軌道情報とに基づき、第２のＧＰＳ測位情報を取得し、前記第２の電子メール作成が終了した後、前記第２のＧＰＳ測位情報を前記第２の電子メールに添付して前記無線部から無線送信させることを特徴とする無線通信装置。
【００６１】
第３の構成は、第２の構成の無線通信装置であって、
前記第１の衛星軌道情報は、第１の衛星軌道情報Ａ（例えばアルマナック情報）と該第１の衛星軌道情報Ａよりも有効期間の短い第１の衛星軌道情報Ｂ（例えばエフェメリス情報）とを含み、
前記制御部は、操作者からの前記第２の電子メールの作成開始指示と、該第２の電子メールへＧＰＳ測位情報を添付させる第２の添付指示とを受け付けたときに、前記記憶部に記憶された第１の衛星軌道情報Ａの取得時刻が使用可能であるが第１の衛星軌道情報Ｂの取得時刻が使用可能でない場合は、前記ＧＰＳ受信部に前記第２の時刻情報と第２の衛星軌道情報Ｂとを受信させ、該第２の時刻情報と第２の衛星軌道情報Ｂと前記記憶部に記憶された第１の衛星軌道情報Ａとに基づき、第２のＧＰＳ測位情報を取得し、前記第２の電子メール作成が終了した後、該第２の電子メールに前記第２のＧＰＳ測位情報を添付して前記無線部から無線送信させることを特徴とする無線通信装置。
【００６２】
第４の構成は、第１の構成の無線通信装置であって、
各種情報を記憶する記憶部を備え、
前記制御部は、
前記操作部が、操作者からの第１の電子メールの作成開始指示と、該第１の電子メールへＧＰＳ測位情報を添付させる第１の添付指示とを受け付けると、前記ＧＰＳ受信部に衛星軌道情報と位置測定用の時刻情報を受信させ、該受信した衛星軌道情報と位置測定用の時刻情報とに基づき第１のＧＰＳ測位情報を取得して前記記憶部に記憶させ、前記第１の電子メール作成が終了した後、該第１の電子メールに前記第１のＧＰＳ測位情報を添付して前記無線部から無線送信し、次に、操作者からの第２の電子メールの作成開始指示と、該第２の電子メールへＧＰＳ測位情報を添付させる第２の添付指示と、前回取得したＧＰＳ測位情報を使用する旨の指示（例えば、定点観測モードの設定）とを受け付けると、前記第２の電子メール作成が終了した後、前記記憶部に記憶された第１のＧＰＳ測位情報を前記第２の電子メールに添付して前記無線部から無線送信させることを特徴とする無線通信装置。
【００６３】
第５の構成は、
操作者からの入力操作を受け付ける操作部と、
基地局との間で無線信号を送受信する無線部と、
ＧＰＳ衛星から衛星軌道情報と位置測定用の時刻情報とを受信するＧＰＳ受信部と、
画像を撮影し該撮影した画像の画像情報を記憶するカメラと、
前記操作部、前記無線部、前記ＧＰＳ受信部、前記カメラを制御する制御部とを備えた無線通信装置であって、
前記制御部は、
前記カメラから該カメラに記憶された画像情報を受信して前記無線部から無線送信させる際に、前記カメラからの画像情報の受信と並行して、前記ＧＰＳ受信部に衛星軌道情報と位置測定用の時刻情報を受信させ、該受信した衛星軌道情報と位置測定用の時刻情報とに基づき、当該無線通信装置の位置情報であるＧＰＳ測位情報を取得し、前記カメラから受信した画像情報に前記ＧＰＳ測位情報を添付して、前記無線部から無線送信させることを特徴とする無線通信装置。
【００６４】
第６の構成は、
操作者からの入力操作を受け付ける操作部と、
基地局との間で無線信号を送受信する無線部と、
ＧＰＳ衛星から衛星軌道情報と位置測定用の時刻情報とを受信するＧＰＳ受信部と、
画像を撮影するカメラと、
前記操作部、前記無線部、前記ＧＰＳ受信部、前記カメラを制御する制御部とを備えた無線通信装置であって、
前記制御部は、
前記操作部で操作者からの第１の操作を受け付けると、前記ＧＰＳ受信部に衛星軌道情報を受信させて取得し、その後、前記操作部で操作者からの第２の操作を受け付けると、前記カメラに画像を撮影させるとともに、前記ＧＰＳ受信部に位置測定用の時刻情報を受信させて取得して、前記取得した衛星軌道情報と位置測定用の時刻情報とに基づき、当該無線通信装置の位置情報であるＧＰＳ測位情報を取得し、前記カメラで撮影した画像情報に前記取得したＧＰＳ測位情報を添付して、前記無線部から無線送信させることを特徴とする無線通信装置。
【００６５】
第７の構成は、
操作者からの入力操作を受け付ける操作部と、
基地局との間で無線信号を送受信する無線部と、
ＧＰＳ衛星から衛星軌道情報と位置測定用の時刻情報とを受信するＧＰＳ受信部と、
メッセージデータを作成する外部機器から、該外部機器で作成されたメッセージデータを受信するデータインタフェース部と、
前記操作部、前記無線部、前記ＧＰＳ受信部、前記データインタフェース部を制御する制御部とを備える無線通信装置であって、
前記制御部は、
前記データインタフェース部が、前記外部機器から、当該無線通信装置の位置情報であるＧＰＳ測位情報の取得指示を受信すると、前記ＧＰＳ受信部に衛星軌道情報と位置測定用の時刻情報を受信させ、該受信した衛星軌道情報と位置測定用の時刻情報とに基づき、前記ＧＰＳ測位情報を取得し、前記データインタフェース部が、前記外部機器からのＧＰＳ測位情報取得指示を受信後、前記外部機器から該外部機器で作成されたメッセージデータを受信すると、前記取得したＧＰＳ測位情報を前記外部機器から受信したメッセージデータに添付して、前記無線部から無線送信させることを特徴とする無線通信装置。
【符号の説明】
【００６６】
１０１…アンテナ、１０２…無線部、１０３…信号処理部、１０４…スピーカ、１０５…マイク、１０６…制御部、１０７…操作部、１０８…表示部、１０９…記憶部、１１０…ＧＰＳ受信部、１１１…ＧＰＳ受信機用アンテナ、１１２…データＩＦ部。
【図１】
0005894812.tif 000002
【図２（ａ）】
0005894812.tif 000003
【図２（ｂ）】
0005894812.tif 000004
【図３】
0005894812.tif 000005
【図４】
0005894812.tif 000006
【図５】
0005894812.tif 000007